(57)【要約】【構成】電源回路におけるＲＦＩ、ＥＭＩ、およびノイズ過渡現象を分離および／または排除する方法、装置である。交互にゲート制御される複数の平行な電流路（Ａ、Ｂ）を利用することによって、ＤＣ／ＤＣ結合およびＡＣ／ＤＣ結合を分離する。スイッチ（１２、１４、１６、１８）のゲート制御を制御モジュールで行うと、任意の時点で本発明回路の入力および出力を確実に電磁的に遮断できると同時に、回路の出力負荷に電流を適正かつ連続的に供給することを確実に担保できる。【選択図】図１ａ
2007521786.tif 000002
【特許請求の範囲】
【請求項１】
入力および出力をもつ電源回路においてＲＦＩ、ＥＭＩ、およびノイズ過渡現象を分離する装置において、
第１電流路第１スイッチ、第１電流路蓄電手段、および第１電流路第２スイッチを有する第１電流路；
第１電流路に平行であって、第２電流路第１スイッチ、第２電流路蓄電手段、および第２電流路第２スイッチを有する第２電流路；および  
制御回路を有する装置であって、
上記第１電流路の充電サイクル時に、上記第１電流路第１スイッチを閉じると、上記第１電流路蓄電手段が充電し、上記第１電流路第２スイッチを開くと、入力から出力への遷移状態で発生する過渡現象およびノイズを遮断し、上記第２電流路第２スイッチを閉じると、上記第２電流路蓄電手段から電流を出力に送り、そして上記第２電流路第１スイッチを開くと、出力に対する入力過渡現象およびノイズを遮断するように構成するともに、
上記第２電流路の充電サイクル時に、上記第２電流路第１スイッチを閉じると、上記第２電流路蓄電手段が充電し、上記第２電流路第２スイッチを開くと、入力から出力への遷移状態で発生する過渡現象およびノイズを遮断し、上記第１電流路第２スイッチを閉じると、上記第１電流路蓄電手段から電流を出力に送り、そして上記第１電流路第１スイッチを開くと、出力に対する入力過渡現象およびノイズを遮断するように構成したことを特徴とする装置。
【請求項２】
上記第１電流路蓄電手段がコンデンサからなる請求項１記載の装置。
【請求項３】
上記第２電流路蓄電手段がコンデンサからなる請求項１記載の装置。
【請求項４】
上記第１電流路第１スイッチが、リレースイッチ、ソリッドステートリレースイッチ、ＳＣＲスイッチ、パワーＭＯＳＦＥＴスイッチ、または電子スイッチのいずれかで、オンオフ状態を制御することができるスイッチである請求項１記載の装置。
【請求項５】
上記第１電流路第２スイッチが、リレースイッチ、ソリッドステートリレースイッチ、ＳＣＲスイッチ、パワーＭＯＳＦＥＴスイッチ、または電子スイッチのいずれかで、オンオフ状態を制御することができるスイッチである請求項１記載の装置。
【請求項６】
上記第２電流路第１スイッチが、リレースイッチ、ソリッドステートリレースイッチ、ＳＣＲスイッチ、パワーＭＯＳＦＥＴスイッチ、または電子スイッチのいずれかで、オンオフ状態を制御することができるスイッチである請求項１記載の装置。
【請求項７】
上記第２電流路第２スイッチが、リレースイッチ、ソリッドステートリレースイッチ、ＳＣＲスイッチ、パワーＭＯＳＦＥＴスイッチ、または電子スイッチのいずれかで、オンオフ状態を制御することができるスイッチである請求項１記載の装置。
【請求項８】
入力および出力をもつ電源回路においてＲＦＩ、ＥＭＩ、およびノイズ過渡現象を分離する装置において、
第１電流路第１スイッチ、第１電流路蓄電手段、および第１電流路第２スイッチを有する第１電流路；
上記第１電流路に平行で、第２電流路第１スイッチ、第２電流路蓄電手段、および第２電流路第２スイッチ；および  
制御回路を有する装置であって、
上記制御回路が、上記第１電流路第１スイッチおよび第１電流路第２スイッチが同時にオン状態にならず、また上記第２電流路第１スイッチおよび第２電流路第２スイッチが同時にオン状態にならず、また上記第１電流路第２スイッチおよび上記第２電流路第２スイッチが同時にオン状態にならず、そして上記第１電流路第２スイッチおよび第２電流路第２スイッチが交互にゲート制御されて負荷に電流を与えるように上記回路を制御することを特徴とする装置。
【請求項９】
上記第１電流路第１スイッチおよび上記第２電流路第１スイッチが交互にゲート制御されてそれぞれ上記第１電流路蓄電手段および上記第２電流路蓄電手段を充電する請求項８記載の装置。
【請求項１０】
入力および出力をもつ電源回路においてＲＦＩ、ＥＭＩ、およびノイズ過渡現象を分離する方法において、
第１電流路第１スイッチ、第１電流路蓄電手段、および第１電流路第２スイッチを有する第１電流路を用意する工程；
上記第１電流路に平行で、第２電流路第１スイッチ、第２電流路蓄電手段、および第２電流路第２スイッチを用意する工程；および  
上記第１電流路および上記第２電流路を制御して、
上記第１電流路の充電サイクル時に、上記第１電流路第２スイッチを開くと、入力から出力への遷移状態で発生する過渡現象およびノイズを遮断し、上記第２電流路第２スイッチを閉じると、電流を出力に送り、そして上記第２電流路第１スイッチを開くと、出力に対する入力過渡現象およびノイズを遮断するともに、
上記第２電流路の充電サイクル時に、上記第２電流路第２スイッチを開くと、入力から出力への遷移状態で発生する過渡現象およびノイズを遮断し、上記第１電流路第２スイッチを閉じると、電流を出力に送り、そして上記第１電流路第１スイッチを開くと、出力に対する入力過渡現象およびノイズを遮断するように構成した工程を有することを特徴とする方法。
【請求項１１】
入力および出力をもつ電源回路においてＲＦＩ、ＥＭＩ、およびノイズ過渡現象を分離する装置において、
第１スイッチ、第１蓄電手段、第２スイッチ、および第２蓄電手段を有する電流路、および
上記第１スイッチを閉じたときに、上記第１蓄電手段を充電し、そして上記第２スイッチを開いたときに、入力から出力への遷移状態で発生する過渡現象およびノイズを遮断する制御回路を有することを特徴とする装置。
【請求項１２】
入力および出力をもつ電源回路においてＲＦＩ、ＥＭＩ、およびノイズ過渡現象を分離する方法において、
第１スイッチ、第１蓄電手段、第２スイッチ、および第２蓄電手段を有する電流路を用意する工程、および
上記第１スイッチを閉じたときに、上記第１蓄電手段を充電し、そして上記第２スイッチを開いたときに、入力から出力への遷移状態で発生する過渡現象およびノイズを遮断するように上記回路を制御する工程を有することを特徴とする方法。
【発明の詳細な説明】
【技術分野】
【０００１】
本発明は、全体的には電気回路、より具体的には、ＡＣラインノイズ、過渡的な電磁干渉、ＲＦＩやＥＭＩから回路を保護する改良方法および対応する電源回路に関する。
【背景技術】
【０００２】
切換えモードの電源装置の場合、パワートランジスタまたはパワーＭＯＳＦＥＴを利用し、例えば制御モジュールを使用する必要がある。ところが、半導体スイッチや制御モジュールの目的および動作は、本発明のそれとはまったく異なる。切換えモード回路の主目的は、電圧調整であり、一方本発明の主目的は、ノイズの分離、過渡現象の分離である。
【０００３】
切換え電源を使用すると、主電源変圧器および大形の蓄電フィルターコンデンサが必要なくなる代わりに、ＡＣ入力から直接くる電圧を整流し、小形のコンデンサにＤＣを蓄電する。この場合、ＰＷＭ（パルス幅変調）制御装置によって制御されるトランジスタによってパルス状に電流が放出される。
【０００４】
切換えモード電源装置の場合、軽量、小形、高効率という長所があるが、電源装置の第１の必要条件が低ノイズである場合には適さない。このような電源装置が発生する高周波切換え調波は、低ノイズ比を実現するためには、示量的なフィルターを必要とする。さらに、切換えモード電源装置は、本発明の回路のように、ラインノイズや過渡現象を抑制しない。切換えモード整流器が導通状態にあり、かつ切換えトランジスタがオン状態にあるときには、入力ラインノイズが出力に伝わる。さらに、ライン接続整流器が相当なパワー調波を発生し、これが電力ラインに戻される。
【０００５】
切換えモード電源装置は、本発明の回路のように、複数の平行な電流路を利用しないが、本発明の技術思想は各種の切換えモード設計に応用でき、これらにノイズ遮断特性を付与するものと考えられる。
【０００６】
ＵＳＰ６，１８８，５９２、５，８１８，７０４、６，２５２，７８１および６，２５６，２１４などに開示されている“同期整流”回路は、一見本発明回路と類似しているように見えるが、類似点は、基本的な動作にパワーＭＯＳＦＥＴなどの２つの制御スイッチ要素を必要とする点だけである。これらの場合、本発明の回路のように、複数の平行電流路を利用していない。
【特許文献１】米国特許第６，１８８，５９２号
【特許文献２】米国特許第５，８１８，７０４号
【特許文献３】米国特許第６，２５２，７８１号
【特許文献４】米国特許第６，２５６，２１４号
【発明の開示】
【発明が解決しようとする課題】
【０００７】
同期整流器が通常使用されるのはＤＣ−ＤＣ電圧変換であり、回路はＤＣ電圧をより低い電圧に変換するように設計されている。代表的な実例は、“Ｂｕｃｋコンバータ”である。なお、同期整流器は電圧変換を目的としているが、本発明回路は、ノイズを分離し、干渉を分離することが目的である。
【０００８】
上記ＵＳＰは、本発明者が認識している技術の現状を反映しているものである。ここで出願人がこれらＵＳＰに言及し、かつ内容に触れている意図は、本願特許請求の範囲の審査に適切と思われる、出願人が認識している情報を誠実に開示するためである。なお、上記ＵＳＰは、いずれも、本明細書に開示し、かつ特許請求の範囲に記載している発明を単独で、あるいは相互に関連させても開示するものではなく、また教示、示唆、提示あるいはその他自明とするものではない。
【０００９】
本発明は、電源回路においてＲＦＩ、ＥＭＩ、およびノイズ過渡現象を分離および／または排除することを対象とする方法および装置を提供するものである。
【課題を解決するための手段】
【００１０】
本発明回路の場合、通常のフィルター方法を利用するのではなく、電流をゲート制御することによって、ＤＣ／ＤＣ結合、ＡＣ／ＤＣ結合を分離する。本発明回路の好適な実施態様では、“複数の平行な”電流路を利用して交互にゲート制御を行い、連続給電を確実に担保する。
【００１１】
複数の平行な電流路を４つのスイッチおよび２つの蓄電要素（例えば、コンデンサ）で構成する。即ち、各電流路を２つのスイッチおよび一つのコンデンサで構成する。ここでの“スイッチ”としては、オンオフ状態を制御することができるリレースイッチ、ソリッドステートリレースイッチ、ＳＣＲスイッチ、パワーＭＯＳＦＥＴスイッチまたは他の電子スイッチのいずれかを利用することができる。スイッチのゲート制御を制御モジュールで行うと、任意の時点において、本発明回路の入力および出力を確実に電磁的に遮断できると同時に、回路の出力負荷に電流を適正かつ連続的に供給することを確実に担保できる。
【００１２】
本発明回路の別な実施態様では、一本の電流路を使用するが、この場合には、サイクル時の負荷必要条件を満足する十分な蓄電能力が必要である。
【発明の効果】
【００１３】
本発明回路は、パワーライン伝達ノイズ、過渡現象、ＲＦＩおよびＥＭＩに対してほぼ１００％の分離および耐性を与え、また従来の線形電源設計のノイズ抑制に必要な場合が多いフィルターコイルや高周波フィルターコンデンサは必要ない。さらに、本発明の回路の場合、共通モードや差動モードのパワーラインノイズが電源に混入することもない。加えて、本発明回路の場合、出力負荷回路が発生するノイズが、ＤＣ入力ラインやＡＣパワーラインに“キックバック（戻る）”こともない。
【発明を実施するための最良の形態】
【００１４】
以下、本発明を図１〜図４について説明するが、各図において同一符号は同一構成成分または同一構成要素を示す。図１ａおよび図１ｂは、線形全波電源装置１０における本発明電源回路を示す概略図である。動作時には、電流路Ａに入力電圧が充電され、電量路Ｂが回路出力あるいは負荷Ｌに電流を流す（あるいは逆の場合もある）ように、スイッチ１２、１４、１６、１８が制御モジュール２０によって制御される。電流路Ａの充電された電力レベルが低くなり始めると、制御モジュール２０がこれらスイッチを“ゲート制御”し、電流路Ａを充電する一方、フル充電電流路Ｂが出力に電流を与える。
【００１５】
電流路Ａの充電サイクル時（図１ｂ）、電流路Ａの第２（後充電）スイッチ１４が開き、ＡＣ入力から出力への過渡現象およびノイズを遮断する。同時に、電流路Ｂの第２（後充電）スイッチ１８が閉じ、電流を出力負荷Lに供給する一方、電流路Ｂの第１スイッチ（予充電）１６がオフ状態になり、出力に対するＡＣ入力の過渡現象およびノイズを遮断する。
【００１６】
逆に、電流路Bの充電サイクル時（図１a）には、電流路Ｂの第２スイッチ１８が開き、ＡＣ入力から出力への過渡現象およびノイズを遮断する。同時に、電流路Ａの第２スイッチ１４が閉じると、電流を出力負荷Ｌに供給する一方、電流路Ａの第１（予充電）スイッチ１２が開放状態になり、出力へのＡＣ入力の過渡現象およびノイズを遮断する。
【００１７】
本発明の回路では、制御モジュールが以下の状態（１）〜（５）を確実に担保できる。
（１）電流路Ａの第１スイッチ１２および第２スイッチ１４が同時にオン状態になることはない。
（２）電流路Ｂの第１スイッチ１６および第２スイッチ１８が同時にオン状態になることはない。
（３）電流路の第２スイッチ１４および電流路Ｂの第２スイッチ１８が同時にオン状態になることはない。
（４）電流路Ａの第２スイッチ１４および電流路Ｂの第２スイッチ１８が交互にゲート制御され、電流を負荷に供給する。
（５）電流路Ａの第１スイッチ１２および電流路Ｂの第１スイッチ１６が交互にゲート制御され、それぞれ、電流路Ａ蓄電手段（コンデンサ２２）を充電するとともに、電流路Ｂ蓄電手段（コンデンサ）２４を充電する。
【００１８】
図２は、線形全波整流化電源装置３０における本発明電源回路を示す概略図である。整流器ダイオード３２、３４は二重の機能をもつ。即ち、ＡＣ電圧を整流するとともに、それぞれ電流路Ａの第１スイッチおよび電流路Ｂの第１スイッチとして作用する。ＳＣＲａ３６およびＳＣＲｂ３８が、それぞれ、電流路Ａの第２スイッチおよび電流路Ｂの第２スイッチとして機能する。また、ダイオード３２、コンデンサ４０およびＳＣＲａ３６が電流路Ａを構成し、そしてダイオード３４、コンデンサ４２およびＳＣＲｂ３８が電流路Ｂを構成する。
【００１９】
制御モジュール４４が、ＡＣライン周波数に同期されたスイッチをゲート制御する。センスラインＳＬａ４６およびＳＬｂ４８が、ＡＣ電圧極性変化を検出することによって、制御モジュールのセンス信号を発生する。トリガラインＴＬａ５０およびＴＬｂ５２がＳＣＲスイッチを制御する。この制御モジュールが、ＳＣＲａ３６およびＳＣＲｂ３８が同時にオン状態にならないことを確実に担保する。
【００２０】
ダイオード３２、３４を自走式（ｆｒｅｅ−ｒｕｎｎｉｎｇ）式整流器として構成してあるため、その導通状態はＡＣ入力周波数によって決まる。従って、制御モジュールは、整流器（センスラインＳＬａ４６およびＳＬｂ４８）の導通状態を単に決定するもので、しかも整流器ダイオード３２および３４の導通状態にＳＣＲａ３６およびＳＣＲｂ３８の開閉を同期するものでなければならない。本質的なことは、制御モジュール４４がＳＣＲａ３６およびＳＣＲｂ３８が同時にオン状態にならないことを確実に担保することである。また、制御モジュールが、ＳＣＲａ３６が、ダイオード３２がオフ状態になった後にのみオン状態になることを確実に担保することである。同様に、制御モジュールが、ＳＣＲｂ３８が、ダイオード３４がオフ状態になった後にのみオン状態になることを確実に担保することである。これら条件が設定されると、ＡＣライン入力過渡現象およびノイズが出力回路に対して遮断されることを確実に担保できる。
【００２１】
この場合、制御モジュール４４は、入ってくるＡＣ極性変化を検出し、かつ対応するＳＣＲをトリガする単純な回路である。この制御モジュールは、抵抗器５３、ダイオード５４、抵抗器５５、抵抗器５６、ダイオード５８および抵抗器６０で構成する。
【００２２】
コンデンサ４０、４２のサイズについては、負荷に対して最悪のケースを想定した十分な電流が流れることを確実に担保できるように慎重に設定する必要がある。また、電源充電コンデンサ６２のサイズについても、ＳＣＲａ３６およびＳＣＲｂ３８の両者がオフ状態になる（ＡＣゼロクロス付近で）遷移期間があるため、電流が連続的に流れることを確実に担保できるように設定する必要がある。
【００２３】
図３ａおよび図３ｂは、緩衝式ＤＣ電圧電源装置７０における本発明電源回路の概略図である。本質的には、この回路は、交互に充放電される２つの流路へＤＣ入力を分割する。各流路は、独立した充電要素であり、コンデンサ７２、７４によって表される。電流路Ａは、電流路Ａの第１スイッチ７６、電流路Ａの第２スイッチ７８及びコンデンサ７２で構成し、電流路Ｂは、電流路Ｂの第１スイッチ８０、電流路Ｂの第２スイッチ８２およびコンデンサ８４で構成する。
【００２４】
スイッチ７６、７８、８０、８２は、パワーＭＯＳＦＥＴやその他の状態制御式スイッチなどのゲート制御できる任意のパワースイッチであればよい。
【００２５】
動作時には、電流路Ａが入力によって充電される一方、電流路Ｂが回路出力または負荷Ｌに電流を与えるように、スイッチが制御モジュール８４によって制御される。電流路Ａの充電電力レベルが下がり始めると、制御モジュールがスイッチを“ゲート制御”し、電流路Ａを充電する一方、フル充電電流路Ｂが出力に電流を与える。切換え周波数をＡＣライン周波数に同期させてもよく、および／または他の設計必要条件に応じてより高い周波数を使用してもよい。
【００２６】
電流路Ａの充電/電流路Ｂの放電サイクル：
電流路Ａの第１スイッチ７６を閉じ、電流路Ａの第２スイッチ７８を開くと、電流路Ａのコンデンサ７２が入力電圧によって充電する。電流路Ａの第２スイッチ７８が開いている間、ソースＥＭＩが電流路Ａを介して出力に連結することはない。同時に、電流路Ｂの第１スイッチ８０が開き、電流路Ｂの第２スイッチ８２が閉じると、負荷Ｌに電流路Ｂのコンデンサ７４が電流を与える。電流路Ｂの第１スイッチ８０が開いている間、出力に電流路Ｂを介してソースＥＭＩが連結することはない。
【００２７】
電流路Ｂの充電/電流路Ａの放電サイクル：
電流路Ｂの第１スイッチ８０が閉じ、電流路Ｂの第２スイッチ８２が開くと、電流路Ｂのコンデンサ７４が入力電圧によって充電する。電流路Ｂの第２スイッチ８２が開いている間、ソースＥＭＩが電流路Ｂを介して出力に連結することはない。同時に、電流路Ａの第１スイッチ７６が開き、電流路Ａの第２スイッチ７８が閉じると、負荷に電流路Ａのコンデンサ７２が電流を与える。電流路Ａの第１スイッチ７６が開いている間、出力に電流路Ａを介してソースＥＭＩが連結することはない。
【００２８】
本発明の多重回路は、各種の回路要素またはＰＣＢ間を分離するために使用することができる。例えば、第１の回路でデジタル回路を分離し、第２の回路でアナログ回路を分離することができる。本発明回路の特徴である遮断作用のため、第１の回路部分が発生するノイズが、主電源装置に戻ることはない。
【００２９】
図４は、本発明の電源回路を線形全波ブリッジ整流電源９０に使用した場合を示す概略図である。ブリッジ整流器９２の出力において、本発明回路が、ＤＣ電圧を２つの平行電流路に分割する。制御モジュール９４がスイッチ、即ち電流路Ａの第１スイッチ９６および電流路Ｂの第１スイッチ９８を交互にゲート制御し、それぞれコンデンサ１００、１０２を充電する。また、制御モジュール９４は、電流路Ａの第２スイッチ１０４および電流路Ｂの第２スイッチ１０６を交互にゲート制御することによって出力に電流を与える。
【００３０】
この制御モジュールの場合、下記の条件（１）〜（５）を確実に担保することによって、ＡＣラインノイズおよび整流器ノイズを出力に対して確実に遮断する。
（１）電流路Ａの第１スイッチ９６および第２スイッチ１０４が同時にオンすることはない。
（２）電流路Ｂの第１スイッチ９８および第２スイッチ１０６が同時にオンすることはない。
（３）電流路Ａの第２スイッチ１０４および電流路Ｂの第２スイッチ１０６が同時にオンすることはない。
（４）電流路Ａの第２スイッチ１０４および電流路Ｂの第２スイッチ１０６が交互にゲート制御され、電流を負荷に与える。
（５）電流路Ａの第１スイッチ９６および電流路Ｂの第１スイッチ９８が交互にゲート制御され、電流路Ａの蓄電手段（コンデンサ１００）および電流路Ｂの蓄電手段（コンデンサ１０２）それぞれを充電する。
【００３１】
この制御モジュールの場合、目的の出力必要条件に応じて、ＡＣライン周波数かそれ以上の高周波数でクロック制御することができる。
【００３２】
図５ａおよび図５ｂは、電流路を一本で構成した実施態様１１０の概略図である。この実施態様は、構造がより簡単で、部品数も少ない作用効果をもつ。また、入出力間の電磁干渉を遮断できるが、出力に電流を連続供給できない。この欠点を代償するため代わりに、蓄電コンデンサ（アレー）を利用して、フル充放電時の負荷必要条件を満足するのに十分な電流を蓄電する。
【００３３】
蓄電コンデンサ（アレー）１１８に接続した第１スイッチ１１２、第２スイッチ１１４およびコンデンサ１１６によって一本の電流路Ａを構成する。動作時には、第１スイッチ１１２がコンデンサ１１８を充電し、そして第２スイッチ１１４が入力からの電磁ノイズを遮断するように、これらスイッチを制御モジュール１２０によって制御する。この蓄電アレー１１８の場合、最悪のケースを想定した電流負荷を臨界電圧以下にならない程度で出力に与えるのに十分な蓄電をもっている必要がある。
【００３４】
この一本の電流路を利用した回路の場合、制御モジュール１２０が以下の状態を確実に担保する。
第１スイッチ１１２および第２スイッチ１１４が同時にオン状態になることはない。
第１スイッチ１１２が開き、第２スイッチ１１４が閉じると、蓄電アレー１１８が蓄電する。
第１スイッチ１１２が閉じ、第２スイッチ１１４が開くと、コンデンサ１１６が蓄電する。
【００３５】
以上の説明は、当業者が不当な実験を行わなくても本発明を実施することを可能にし、かつ本発明者が現段階で意図している発明の最善の実施形態を与えるものである。なお、本明細書は本発明の好適な実施態様を十全かつ完全に説明しているものと考えられるが、本発明は、説明しかつ図示した通りの構成、寸法関係および動作に制限されるものではなく、発明の精神および範囲から逸脱しなくても、各種の改変、構成の変更などを加えた等価な実施態様は当業者ならば容易に実施でき、かつ好ましい実施態様として利用できるはずである。このような変更改変には、材料、構成部品、構造的配置、サイズ、形状、機能、動作特性などが含まれる。
【００３６】
従って、本発明の適正な範囲は、このような変更改変のすべて含み、かつ図示かつ説明した実施態様と等価な関係すべてを含む特許請求の範囲の最も広い解釈によってのみ決定されるものである。
【図面の簡単な説明】
【００３７】
【図１】図１ａ、図１ｂは、線形全波電源装置に適用した状態の本発明電源回路を示す概略図。
【図２】図２は、線形全波電源装置内に搭載した状態の本発明電源回路を示す概略図。
【図３】図３ａ、図３ｂは、緩衝式ＤＣ電圧装置に適用した状態の本発明電源回路を示す概略図。
【図４】図４は、線形全波ブリッジ整流電源装置に適用した状態の本発明電源回路を示す概略図。
【図５】図５ａ、図５ｂは、本発明の一本の電流路を使用した実施態様の概略図である。
【符号の説明】
【００３８】
１０、３０：線形全波電源装置、
１２、１４、１６、１８：スイッチ、
２０、４４：制御モジュール、
Ａ、Ｂ：電流路、
３２、３４：整流器ダイオード、
４２：コンデンサ、
５３、５５、５６，６０：抵抗器、
５４、５８：ダイオード
2007521786.tif 000003
【図２】
2007521786.tif 000004
2007521786.tif 000005
【図４】
2007521786.tif 000006
2007521786.tif 000007
【国際調査報告】
2007521786.tif 000008